(57)【要約】      （修正有）【課題】本体底部に芝草を刈込むブレードを備え、該ブレードの交換等のメンテナンス時にブレードを該本体から取り外すことができるよう本体に対して着脱可能に設けられた芝生バリカンにおいて、ブレードカバーの変形を防止することでカムからブレードが外れ難い操作性の良い刈込機を提供する。【解決手段】着脱可能なブレード３を保持するため、ブレードカバー１２の一方に本体取付用の軸部１２ａを設け、反対側には回動式の操作子によって前後移動可能なフック１６を配設して、フック１６を本体外枠に引っ掛けて工具本体に取り付けたブレード３を固着する。操作子は、ブレードカバー１２の左右にあり、シャフトによって保持されていてフック１６の動作方向と直交させて配設する。【選択図】図１
2014068597.tif 000002
【特許請求の範囲】
【請求項１】
本体と、
前記本体内に収容されるモータと、
前記モータの回転運動を伝えるギヤと、
前記ギヤに伝わった回転運動により駆動される一対のブレードと、
前記ブレードの基端部を覆う様に、本体底部に配置されたブレードカバーを備えた刈込機であって、
前記本体の底部には、ブレードカバー取付部と、係止部とが形成され、
前記ブレードカバーは、前記ブレードの基端部を覆うブレードカバー本体と、前記ブレードカバー本体の一端側に形成され、前記ブレードカバー取付部に回動可能に取り付けられる取付部と、前記ブレードカバー本体の他端側に進退可能に設けられ、前記係止部に係合可能なフックと、
を備えることを特徴とする刈込機。
【請求項２】
前記ブレードカバーは、前記フックを移動する移動手段と、前記移動手段に設けられ前記移動手段を操作する操作手段と、前記フックを付勢する付勢手段と、を有し、
前記操作手段の操作により前記フックと前記係止部の係合を係脱することを特徴とする請求項１記載の刈込機。
【請求項３】
前記操作手段は、前記ブレードカバーの相対する側面に一対設けられ、前記操作手段をシャフトにより一体に回動可能にしたことを特徴とする請求項２記載の刈込機。
【請求項４】
前記移動手段は偏心カムにより構成され、偏心カムの回動により前記フックが移動することを特徴とする請求項２記載の刈込機。
【発明の詳細な説明】
【技術分野】
【０００１】
本発明は、芝等の刈り込みに使用される刈込機に関するものである。    
【背景技術】
【０００２】
この種の刈込機は、本体底部にブレードを備え、本体に内蔵されたモータの回転を偏心カムによってブレードの水平揺動運動に変換して芝等の刈込作業を行うものであるが、本体底部にはブレードの一部を覆うブレードカバーが設けられており、このブレードカバーは、ブレードの交換等のメンテナンス時にブレードを本体から取り外すことができるよう本体に対して着脱可能に設けられている。
【０００３】
本体底部にブレードとブレードの一部を覆うスライド可能なブレードカバーを備えた刈込機において、本体底部に係止凹部と係止凹部に連なる溝部を形成し、ブレードカバーのスライド方向一端にラッチ部と軸部を形成し、ラッチ部を本体側の係止凹部に係合させるとともに、軸部を本体側の溝部に係合する。    
【０００４】
ブレードカバーの左右両端に、本体に形成された係合凸部に選択的に係合してブレードカバーを本体に固定する係合部を形成する。
【０００５】
ブレードカバーが本体に対してスライドしてブレードカバー側の軸部が本体側の溝部の凸部を通過するまでは本体側の係合凸部とブレード側の係合部とが係合してブレードカバーの本体への固定が維持され、ブレードカバー側の軸部が本体側の溝部の凸部を通過して平面部に係合すると本体側の係合凸部とブレードカバー側の係合部との係合が外れてブレードカバーの本体への固定が解除され、不図示の交換等のメンテナンのためにブレードを本体から取り外す場合には、ブレードカバーの突片を押さえてラッチ部の本体側の係止凹部との係合を解除した上で、ブレードカバーをスライドさせてブレードカバー側の係合部と本体側の係合凸部との係合を解除すれば、ブレードカバーを本体から取り外すことができる。
【先行技術文献】
【特許文献】
【０００６】
【特許文献１】特開２００８−１７３０４７号公報
【発明の概要】
【発明が解決しようとする課題】
【０００７】
しかしながら、このスライドさせる方法では、前記ブレードをブレードカバーの両端で保持するため、中央部が変形しやすい構造であったため、中央部への与圧がかけにくく、ブレードが石などの硬いものを噛み込むとブレードが変形し、回転駆動のカムよりブレードが外れることがあった。
【０００８】
本発明は上記問題に鑑みてなされたもので、その目的は、ブレードカバーの変形を防止することでカムからブレードが外れ難い操作性の良い刈込機を提供することにある。
【課題を解決するための手段】
【０００９】
上記目的を達成するため、請求項１記載の発明は、本体底部に配置されたブレードの基端部を覆うブレードカバーを備えた刈込機であって、本体底部には、ブレードカバー取付部と、係止部とが形成され、ブレードカバーには、ブレードの基端部を覆うブレードカバー本体と、ブレードカバー本体の一端側に形成されブレードカバー取付部に回動可能に取り付けられる取付部と、ブレードカバー本体の他端側に移動可能に配置され係止部に係合可能なフックと、を備えることを特徴とする。
【００１０】
請求項２記載の発明は、請求項１記載の発明において、ブレードカバーには、フックを移動する移動手段と、移動手段に設けられ移動手段を操作する操作手段と、フックを付勢する付勢手段とを有し、操作手段の操作によりフックと係止部の係合を係脱することを特徴とする。
【００１１】
請求項３記載の発明は、請求項１または２記載の発明において、操作手段は、ブレードカバーの相対する側面に一対設けられ、操作手段をシャフトにより一体に回動可能にしたことを特徴とする。
【００１２】
請求項４記載の発明は、請求項３記載の発明において、移動手段は偏心カムにより構成され、偏心カムの回動によりフックが移動することを特徴とする。
【発明の効果】
【００１３】
請求項１記載の発明によれば、本体底部に、ブレードカバー取付部と、係止部を設けるとともに、ブレードカバーに、ブレードの基端部を覆うブレードカバー本体と、ブレードカバー本体の一端側に形成されブレードカバー取付部に回動可能に取り付けられる取付部と、ブレードカバー本体の他端側に移動可能に配置され係止部に係合可能なフックを設け、ブレードカバーを本体底部に着脱可能にすることで、ブレードカバー着脱の操作性が向上しブレードカバーの変形を防止することができる。
【００１４】
請求項２記載の発明によれば、操作手段の位置を確認することで、ブレードカバーが本体に確実に固定されたことを知ることができる。
【００１５】
請求項３記載の発明によれば、操作手段を保持するシャフトをブレードカバーに配設することによって、ブレードカバーの変形を防止できる。
【００１６】
請求項４記載の発明によれば、移動手段により確実にフックを前後させることができ、操作性の向上が図れる。
【図面の簡単な説明】
【００１７】
【図１】本発明に係る刈込機のブレードカバー固定時の側面図（一部断面）である。
【図２】本発明に係る刈込機のブレードカバーを取り外して示すブレードカバーの上面図である。
【図３】図１の矢視Ａ−Ａ線方向の図である。
【図４】本発明に係る刈込機のブレードカバー固定解除時の側面図である。
【図５】本発明に係る刈込機のブレードカバー固定解除時の上面図である。
【図６】本発明に係る刈込機のブレードカバー固定解除時の側面図である。
【図７】従来の刈込機のブレードが外れた状態を示す本体底部の側面図である。
【図８】図７のＢ−Ｂ線断面図である。
【発明を実施するための最良の形態】
【００１８】
以下に本発明の実施の形態を図面に基づいて説明する。
【００１９】
図１は本発明に係る刈込機の側断面図であり、図１の右方を本体２の前方、紙面手前を本体２の右方とすると、刈込機１は、本体２の前端下部に略水平に延びる鋸刃状の上下２枚のブレード３（上刃３ａと下刃３ｂ）を備えている。ここで、本体２は、左右に２分割された樹脂製のハウジングを複数のねじによって結合一体化して構成される。本体上部には、作業者が把持するためのハンドル部２ａが形成され、ハンドル部２ａにはスイッチ１９が設けられている。また、本体２の後部からは電源コード４が導出しており、電源コード４の端部（自由端）には電源プラグ５が取り付けられている。
【００２０】
本体２内には、駆動源としての不図示のモータが出力軸を本体下方に伸ばす形で収容されている。更に、本体２内には、モータの出力軸と平行な２本の軸６，軸７がそれぞれ垂直に設置されており、一方の軸６には大小異径のギヤを上下２段に備える段ギヤ８が回転可能且つ取り外し可能な状態で支えられ、他方の軸７には大径のギヤ９が回転可能に支承されている。
【００２１】
ところで、前記ギヤ９には軸７に対して偏心した大小異径のそれぞれ、大偏心ボス１８ａと小偏心ボス１８ｂが一体に形成されており、大偏心ボス１８ａと小偏心ボス１８ｂは偏心の位相が互いに１８０°ずれている。
【００２２】
他方、前記ブレード３の上刃３ａと下刃３ｂは、プレート１０上に立設されたピン１１によってその中間部が揺動可能に軸支されており、図２と図５に示すように、上刃３ａと下刃３ｂの各基端部にはそれぞれ長孔状の大カム孔２０ａと小カム孔２０ｂがそれぞれ形成されている。そして、上刃３ａに形成された大カム孔２０ａには前記ギヤ９の大偏心ボス１８ａが嵌装されている。同様に、下刃３ｂに形成された小カム孔２０ｂには前記ギヤ９の小偏心ボス１８ｂが嵌装されている。
【００２３】
また、本体２の底部には、ブレード３の一部を覆う本発明のブレードカバー１２が取付部２ｂに取り付けられており、その側面には本発明移動手段であるカム１７を動かす本発明操作手段であるレバー１３が設けられている。ブレードカバー１２の内部には、カム１７によって前後移動するフック１６が、本発明付勢手段であるばね１５の弾性力を受けながら設置してある。ブレードカバー１２は、ブレードカバーの軸部１２ａと、本体の係止部２ｃにフック１６が係止されることで支持されている。
【００２４】
本実施の形態である刈込機１では、レバー１３を回動操作してフック１６と本体２側の係止部２ｃとの係合を解除した後、ブレードカバーの軸部１２ａを回転軸としてブレードカバー１２を回動させれば、ブレードカバー１２が開くため、ブレード３を本体２から取り外して交換等のメンテナンスを行うことができる。以下、ブレードカバー１２の係脱構造を図に基づいて説明する。
【００２５】
図２に示すように、本体２の底部の幅方向中央には、レバー１３ａ、１３ｂとを繋ぐシャフト１４が設けられている。また、図３に示すように、シャフト１４にはカム１７が設置してある。
【００２６】
シャフト１４はブレードカバー１２の中央に位置しており、これによりブレードカバー１２の変形を防ぐことができ、カム１７からブレード３を外れにくくすることができる。
【００２７】
またフック１６は、ブレードカバー１２の内壁に沿うようにＵ字に形成されている。フック１６には、ばね１５がレバー１３ａ側とレバー１３ｂ側の両側に設置されており、本体両側面側から弾性力を受け、更にカム１７に抑えられることで抑止されている。フック１６の構成によりブレードカバー１２の変形を防ぐことができる。
【００２８】
図３に示すように、レバー１３ａとレバー１３ｂはシャフト１４によって連結されており、片方を動きがシャフト１４を通じて一方に伝えられることで、片方のみを動かした場合でももう片方は同様に動く。したがって、レバー１３ａのみを動かした場合でもカム１７は両方とも同様に動きフック１６はブレードカバー１２の長手方向に動く。
【００２９】
そして、交換等のメンテナンスのためにブレード３を本体２から取り外す場合には、図４に示すように、レバー１３ａまたはレバー１３ｂを動作させることでカム１７を回動し、図５に示すようにフック１６を本体２の後方に応動させる。次にフック１６と係止部２ｃとの係合を解除することで、ブレードカバー１２がブレードカバーの軸部１２ａを回転軸にして回動可能になり、図６に示すように本体２からブレードカバー１２を外すことができる。ブレードカバー１２を本体２から外すと、ブレードカバー１２はブレードカバーの軸部１２ａによって支持され、本体２から取り外されることがないため、ブレードカバー１２を紛失してしまうことがない。
【００３０】
その後、ブレード３を本体２から取り外す際には、通常本体２を上下逆にして、つまり底面を上にしてなされる。その際、本実施の形態では、ブレードカバー１２を必要十分に開くことができるため、取り外さなくても支障なくブレード３を本体２から取り外し、交換等のメンテナンスを行うことができる。
【００３１】
次に、以上の構成を有する刈込機１の作業時の動作について図に基づいて説明する
本体２のハンドル部２ａに設けられたスイッチ１９をＯＮにしてモータを起動させると、その出力軸の回転は、段ギヤ８の大径ギヤと小径ギヤを経て減速されてギヤ９に伝達され、ギヤ９が回転駆動される。すると、ギヤ９に一体に形成された大小異径の偏心ボス大偏心ボス１８ａと小偏心ボス１８ｂが回転すると、ブレード３の上刃３ａと下刃３ｂが、ピン１１を中心として互いに位相が１８０°ずれた状態で、逆方向に交互に揺動するため、これらの上刃３ａと下刃３ｂによって芝等が刈り込まれる。
【００３２】
このとき、シャフト１４をブレードカバー１２の中央部に配置することでブレードカバー１２の変形を防止し、ブレード３への与圧をかけることができるため、ブレード３が石などの硬いものを噛みこんでしまった際でもブレード３が外れてしまうのを防ぐことができる。
【００３３】
以上のように、本実施の形態では、ブレード３を本体２から取り外す際には、レバー１３ａまたはレバー１３ｂを回動させ、フック１６と係止部２ｃとの係合を解除すれば、ブレードカバー１２の本体２への係止を操作性良く解除することができる。その後ブレードカバー１２を回動させれば、ブレードカバー１２が本体２から係脱するので、ブレード３を本体２から取り外して交換等のメンテナンスを行うことができる。
【００３４】
そして、ブレード３のメンテナンスが終わると、ブレード３を本体２に組み込んだのち、ブレードカバーの軸部１２ａを中心としてブレードカバー１２を回動させ、これを閉じた後、レバー１３ａまたはレバー１３ｂを回動させ、フック１６を係止部２ｃに係合させることでブレードカバー１２が本体２に再び固定される。このようにしてブレードカバー１２を本体２に対して操作性良く係脱することができる。そして、ブレードカバー１２は本体２から取り外され、切り離されることがないため、ブレードカバー１２を紛失してしまうなどの不具合が発生することがない。
【００３５】
また、本実施の形態では、使用者がレバー１３の位置を確認することによってブレードカバー１２が固定状態か解除状態かを容易に判断でき、作業を円滑に進めることができる。
【００３６】
更にシャフト１４がブレードカバー１２の中央に位置することによって、作業中にブレードカバー１２が変形するのを防止することができ、ブレード３が外れるのを抑制することができる。
【００３７】
以上、本発明を実施例に基づいて説明したが、本発明は上述の実施例に限定されるものではなく、その趣旨を逸脱しない範囲内で種々の変更が可能である。例えば、本実施例では移動手段の例としてカムの例で説明したが、これだけに限られずに同等の能力を有するものであれば適用できる。また、本実施例では操作手段の例としてレバーの例で説明したが、これだけに限られず、例えばダイヤルでも適用できる。また、本実施例では付勢手段の例としてばねの例で説明したが、これだけに限らず、例えばゴムでも適用できる。
【符号の説明】
【００３８】
１  刈込機
２  本体
２ａ  本体のハンドル部
２ｂ  取付部
２ｃ  本体の係止部
３  ブレード
３ａ  ブレードの上刃
３ｂ  ブレードの下刃
４  電源コード
５  電源プラグ
６  軸
７  軸
８  段ギヤ
９  ギヤ
１０  プレート
１１  ピン
１２  ブレードカバー
１２ａ  ブレードカバーの軸部
１３、１３ａ、１３ｂ  レバー
１４  シャフト
１５  ばね
１６  フック
１７  カム
１８ａ  大偏心ボス
１８ｂ  小偏心ボス
１９  スイッチ
２０ａ  大カム孔
２０ｂ  小カム孔
２１  フック支持部
【図１】
2014068597.tif 000003
【図２】
2014068597.tif 000004
【図３】
2014068597.tif 000005
【図４】
2014068597.tif 000006
【図５】
2014068597.tif 000007
【図６】
2014068597.tif 000008
【図７】
2014068597.tif 000009
【図８】
2014068597.tif 000010